(57)【要約】【課題】本発明は、ヒンジユニット、筐体本体部、および蓋体の位置合わせが容易で、強度の強いヒンジユニットを備えたドラム式洗濯機を提供することを目的とする。【解決手段】本発明は、回転軸心線を横にした回転自在なる回転ドラムと、洗濯水を溜め、前記回転ドラムを内置する外槽と、前記外槽を内置する筐体本体部と、前記回転ドラムの前側に設けた出入開口部、前記外槽の前側に設けた出入開口部、および筐体本体部の前側に設けた出入開口部を開け閉めする開閉自在なる蓋体と、前記蓋体を開閉自在に支持するヒンジユニットを有するドラム式洗濯機において、前記ヒンジユニットは、ヒンジベースと、前記蓋体を支持し、かつ前記ヒンジベースに回動軸心棒を介して回動自在に支持される連結ヒンジを有し、前記連結ヒンジは、一端には前記蓋体を把持する二つに分かれた二つの把持部と、他には前記回動軸心棒に支持される二つに分かれた二つの支持根元部を有することを特徴とする。【選択図】図７
2008125812.tif 000002
【特許請求の範囲】
【請求項１】
回転軸心線を横にした回転自在なる回転ドラムと、
洗濯水を溜め、前記回転ドラムを内置する外槽と、
前記外槽を内置する筐体本体部と、
前記回転ドラムの前側に設けた出入開口部、前記外槽の前側に設けた出入開口部、および筐体本体部の前側に設けた出入開口部を開け閉めする開閉自在なる蓋体と、前記蓋体を開閉自在に支持するヒンジユニットを有するドラム式洗濯機において、
前記ヒンジユニットは、ヒンジベースと、前記蓋体を支持し、かつ前記ヒンジベースに回動軸心棒を介して回動自在に支持される連結ヒンジを有し、
前記連結ヒンジは、一端には前記蓋体を把持する二つに分かれた二つの把持部と、他端には前記回動軸心棒に支持される二つに分かれた二つの支持根元部を有することを特徴とするドラム式洗濯機。
【請求項２】
請求項１記載のドラム式洗濯機において、
前記筐体本体部は、前側に前側補強板を有し、
前記ヒンジベースが前側補強板にネジにて固定されることを特徴とするドラム式洗濯機。
【請求項３】
請求項１記載のドラム式洗濯機において、
前記ヒンジベースは、二つの縦辺と上辺と下辺をもつ外側の周枠部と、一方の前記縦辺の中間より内向きに突き出た中間支持部と、前記上辺に立てるように設けた上辺軸支持片部と、前記中間支持部に立てるように設けた中間軸支持片部と、下辺に立てるように設けた下辺軸支持片部を有し、
前記連結ヒンジは、二つの支持根元部に立てるように設けた根元支持片部を有し、
前記根元支持片部、前記上辺軸支持片部、前記中間軸支持片部、および前記下辺軸支持片部に貫通した前記回動軸心棒により前記ヒンジベースと前記連結ヒンジを回動自在に連結したことを特徴とするドラム式洗濯機。
【請求項４】
請求項３記載のドラム式洗濯機において、
上辺軸支持片部、中間軸支持片部、および前記下辺軸支持片部に掛け渡され、ネジ等で前記ヒンジベースに止められるストッパー杆と、
前記根元支持片部に設けられ、前記蓋体を開放した際に前記ストッパー杆に当接するストッパー部を有することを特徴とするドラム式洗濯機。
【請求項５】
請求項４記載のドラム式洗濯機において、
前記ストッパー杆は、ストッパー杆の長手方向に沿って延在するように一体に形成され、ストッパー杆に対して鈎型に折れ曲がるストッパー補強部材を有することを特徴とするドラム式洗濯機。
【請求項６】
請求項１記載のドラム式洗濯機において、
前記連結ヒンジは、前記把持部と前記支持根元部の間に連なる補強脈を有することを特徴とするドラム式洗濯機。
【請求項７】
請求項６記載のドラム式洗濯機において、
前記連結ヒンジは全体的に湾曲した形状に形成され、前記補強脈が内側向きに隆起していることを特徴とするドラム式洗濯機。
【請求項８】
請求項６または７記載のドラム式洗濯機において、
前記補強脈は前記二つの把持部と前記二つの支持根元部とを結ぶにように前記連結ヒンジの両側に分かれて存在することを特徴とするドラム式洗濯機。
【請求項９】
請求項８記載のドラム式洗濯機において、
前記連結ヒンジは、前記補強脈が存在しない中間部分は前記回動軸心棒に沿う平坦な形状を有し、前記補強脈が存在する両側部分は端側に向かって上る傾斜形状を有することを特徴とするドラム式洗濯機。
【請求項１０】
請求項６〜９の何れかに記載されたドラム式洗濯機において、
前記補強脈の高さは、前記支持根元部側が高く、前記把持部側が低いことを特徴とするドラム式洗濯機。
【発明の詳細な説明】
【技術分野】
【０００１】
本発明は、回転軸心線を横にした回転自在なる回転ドラムを備えたドラム式洗濯機に関するものである。
【０００２】
また、本発明は、洗濯から乾燥まで通して実行できる洗濯乾燥機も含む。
【背景技術】
【０００３】
このドラム式洗濯乾燥機は、例えば、特開２００５−１４３７９４号公報（特許文献１）に記載されているように、回転軸心線を横にした回転自在なる回転ドラムと、洗濯水を溜め、前記回転ドラムを内置する外槽と、前記外槽を内置する外枠筐体と、前記外枠筐体内に前記外槽を防振支持する防振支持手段を有する。
【０００４】
このドラム式洗濯乾燥機は、筐体本体部の前側に設けた洗濯物の出入開口部を開け閉めする開閉自在なる蓋体を有する。
【０００５】
【特許文献１】特開２００５−１４３７９４号公報
【発明の開示】
【発明が解決しようとする課題】
【０００６】
上記ドラム式洗濯乾燥機では、蓋体はヒンジユニットを介して筐体本体部の前側に回動自在に取り付けられる。
【０００７】
蓋体が開いた状態において、蓋体の自重で下方に荷重がかかる状態にあり、蓋体を支える回動軸心棒および外装部品である筐体本体部の前面板に負荷がかかり、蓋体が下方にずれてしまったり、筐体本体部の前面板が変形したりする恐れがあった。
【０００８】
上記のヒンジユニットには、二つの別体なる連結部材を用いているので、ヒンジユニットとの筐体本体部との位置合わせ、ヒンジユニットと蓋体との位置合わせが容易でない。
また、連結部材が二つに分かれてしますので、強度的にも弱くなりがちである。
【０００９】
本発明は、上記のような問題に鑑み、ヒンジユニット、筐体本体部、および蓋体の位置合わせが容易で、強度の強いヒンジユニットを備えたドラム式洗濯機を提供することを目的とする。
【課題を解決するための手段】
【００１０】
本発明は、回転軸心線を横にした回転自在なる回転ドラムと、洗濯水を溜め、前記回転ドラムを内置する外槽と、前記外槽を内置する筐体本体部と、前記回転ドラムの前側に設けた出入開口部、前記外槽の前側に設けた出入開口部、および筐体本体部の前側に設けた出入開口部を開け閉めする開閉自在なる蓋体と、前記蓋体を開閉自在に支持するヒンジユニットを有するドラム式洗濯機において、前記ヒンジユニットは、ヒンジベースと、前記蓋体を支持し、かつ前記ヒンジベースに回動軸心棒を介して回動自在に支持される連結ヒンジを有し、前記連結ヒンジは、一端には前記蓋体を把持する二つに分かれた二つの把持部と、他には前記回動軸心棒に支持される二つに分かれた二つの支持根元部を有することを特徴とする。
【発明の効果】
【００１１】
本発明によれば、ヒンジユニット、筐体本体部、および蓋体の位置合わせが容易で、強度の強いヒンジユニットを備えたドラム式洗濯機を提供することができる。
【発明を実施するための最良の形態】
【００１２】
以下、本発明の実施形態に係わる実施例について、図を引用して説明する。
【００１３】
まず、図１、図２、図３を基づいて、ドラム式洗濯乾燥機の外観や内部構造に関する概要を述べる。
【００１４】
外枠筐体は、筐体本体部２１と、前記筐体本体部２１を載置するように支持するベース部１を有する。また、ベース部がなく、筐体本体部だけで外枠筐体を構成するものもある。
【００１５】
筐体本体部２１は、ほぼ平坦の両側面部４と、後面部９と、ほぼ平坦で矩形状の前面部（前面板）２と、前記前面部２と両側面部４との間に位置する湾曲コーナ面部５と、前記前面部２の中央に設けられた開閉自在なる洗濯物の蓋体３を有する。
【００１６】
蓋体３で、回転ドラムの前側に設けた洗濯物の出入がされる開口部、外槽の前側に設けた洗濯物の出入がされる開口部、および筐体本体部の前側に設けた洗濯物の出入がされる開口部を開け閉めする。
【００１７】
更に、筐体本体部２１は、湾曲上面部６、下側湾曲コーナ面部７、凹状の天井面部８、前面部２の一部である下側前面部２００を有する。天井面部８は凹状になっているので、洗剤等の小物を一時的に置くことができる。
【００１８】
湾曲上面部６には洗剤トレー１０、乾燥フィルタ１１が両側に配置されている。また、ドラム式洗濯乾燥機を制御するための操作部１２と表示部１３が湾曲上面部６のほぼ中央部付近に配置されている。
【００１９】
両側面部４には本体を持ち運びするため下部に下側取っ手１４が複数個設けられ、上側に上側取っ手１５が設けられている。特に上側の取っ手１５は、蓋体３が前面側にあるフロントオープン式のドラム式洗濯乾燥機では重量の有る駆動部が後側なるので後方に位置させている。
【００２０】
ベース部１には洗濯水を排水するための排水ホース１６が取付けられており、そのホース１６を固定するためのホース取付け穴１７が設けられている。また、ベース部１の四隅には取付け脚１８が設けられている。この取付け脚１８はゴムで形成され、ドラム式洗濯乾燥機の運転時の振動を減衰させている。
【００２１】
前面部２の右上部には蓋体３を開くための押しボタンスイッチ１９が設けられ、下側前面部２００には洗濯物のリントを捕集するためのリントフィルタ２０が設けられている。
【００２２】
なお、上記の外枠筐体は筐体本体部２１とベース部１を有するが、ベース部１を設けず、筐体本体部２１に取付け脚１８を設けるようにすることも可能である。この場合は、筐体本体部が外枠筐体になる。
【００２３】
全体の外郭部を構成している筐体本体部２１の内側には外槽２２が備えられる。外槽２２の下部には複数個のサスペンション２３が備えられ、外槽２２を下から支持している。
【００２４】
また、外槽２２の上部は、前後に配置された二個の引きバネ２４、２５により支持している。
【００２５】
サスペンション２３は外槽２２および付属する全重量を支持するものであり、強固な構成にできている。また、脱水運転時に生じる外槽２２の共振による異常振動を防止するための減衰機構などが設けられている。
【００２６】
また、外槽２２の上部から支持している引きバネ２４、２５は外槽２２の前後方向の倒れ防止を兼ねた支持や脱水時の前後、上下及び左右方向の振動を低減するために設けられている。
【００２７】
洗濯やすすぎ時には、水道の蛇口に接続された給水ホース２６、給水電磁弁２７に接続された注水ホース２８、洗剤トレー１０を経由して、洗濯やすすぎに必要な水が供給される。
【００２８】
供給された水は外槽２２の底部に洗濯水として、またすすぎ時にはすすぎ水として溜められている。洗剤トレー１０には洗濯時に必要な洗剤を投入し、すすぎ時には仕上がりをよくするために柔軟仕上げ剤を投入する。
【００２９】
洗濯時には、注水ホース２８から供給された水が洗剤トレー１０の洗剤を溶かしながら外槽２２の上部からフレキシブルホース２９を介して投入される。
【００３０】
外槽２２の内側にある回転軸心線を横にした回転ドラム３０には蓋体３を開けて投入されて洗濯物３１が内置される。回転ドラム３０の開口部（出入開口部）の外周には、脱水時の洗濯物３１によるアンバランス振動を低減するための流体バランサー３２が設けられている。
【００３１】
回転ドラム３０の内側には、脱水時に高速回転で洗濯物３１に含まれている水分を脱水するための脱水穴３３が全周に複数個設けられている。
【００３２】
また、回転ドラム３０の内側には洗濯時に洗濯物を掻き揚げられるようにするために複数個のリフタ―３４が設けられている。回転ドラム３０は回転ドラム用金属製フランジ３５に連結された主軸３６を介して回転ドラム駆動用モータ３７に直結されている。
【００３３】
回転ドラム駆動用モータ３７は外槽２２に固定された金属製フランジ３５に取付けられている。本実施例の場合、回転ドラム駆動用モータ３７は磁石埋め込み形のインナーロータでステータは集中巻の巻線を有するＤＣブラシレスモータを使用している。
【００３４】
外槽２２の開口部（出入開口部）には弾性体からなるゴム系のベローズ３８が取付けられている。このべローズ３８は出入扉３を構成する耐熱ガラスと接するように構成されている。
【００３５】
洗濯やすすぎが終了して不要になった水や脱水時に洗濯物３１から脱水された水は排水弁３９を開放して排水ホース１６から排水される。
【００３６】
乾燥時は送風ファン４０により送風された送風は洗濯物３１が入った回転ドラム３０の中及び外周を通ってくるためリントが含まれるので必ず乾燥フィルタ１１を通す必要がある。
【００３７】
このため、乾燥フィルタ１１を経由してヒータ４１に送風し、加熱された温風は外槽上部に設けられた噴出口部４２より回転ドラム３０の中に送風される。
【００３８】
温風は洗濯物３１を通って回転ドラム３０の後部から外槽２２の底部に設けられた除湿装置４３の通風口４４を通って除湿され送風ファン４０により循環を繰り返して洗濯物３１を乾燥させる。
【００３９】
次に本発明の主要部（ヒンジユニット）、および関連構成について、図４〜図１１を加えて説明する。
【００４０】
筐体本体部２１は、図４、図５に示すように、前側に前側補強板３００を有する。
【００４１】
ヒンジユニット４００は、前側補強板３００に取り付け固定される。蓋体３は、ヒンジユニット４００により筐体本体部２１に開閉自在に支持される。
【００４２】
ヒンジユニット４００は、図６〜図９に示すように、ヒンジベース４１０と、連結ヒンジ４５０を有する。
【００４３】
ヒンジベース４１０は、二つの縦辺４１１，４１２と上辺４１３と下辺４１４をもつ外側の周枠部４１５と、一方の縦辺４１１の中間より内向きに突き出た中間支持部４１６と、上辺４１３に立てるように設けた上辺軸支持片部４１７ａ、４１７ｂと、中間支持部４１６に立てるように設けた中間軸支持片部４１８ａ、４１８ｂと、下辺４１４に立てるように設けた下辺軸支持片部４１９ａ、４１９ｂを有する。
【００４４】
連結ヒンジ４５０は、一端には蓋体３を把持する二つに分かれた二つの把持部４５１、４５２と、他端には二つに分かれた二つの支持根元部４５３、４５４を有する。
【００４５】
連結ヒンジ４５０は、両端の二股に分かれた二つの把持部４５１、４５２および二つの支持根元部４５３、４５４を除き、一枚の鋼板を曲げて形成した全体的に湾曲した形状を有する。
【００４６】
連結ヒンジ４５０の二つの支持根元部４５３、４５４は、立てるように設けた根元支持片部４５５ａ、４５５ｂ、根元支持片部４５６ａ、４５６ｂを有する。
【００４７】
ヒンジベース４１０の上辺軸支持片部の間に、連結ヒンジ４５０の根元支持片部を置き、回動軸心棒４８０を上辺軸支持片部、根元支持片部の軸穴に挿入する。これにより、連結ヒンジ４５０とヒンジベース４１０は回転自在に連結される。
【００４８】
ヒンジユニット４００は、図６、図７に示すヒンジベース４１０のネジ通し穴４２０に挿入するネジにより、筐体本体部２１の前側補強板３００に図３、図４に示すように取り付け固定される。
【００４９】
そして、連結ヒンジ４５０の二つの把持部４５１、４５２にネジを用いて蓋体３を取り付け固定することにより、図３に示すように蓋体３は筐体本体部２１に開閉自在に支持される。
【００５０】
このようにヒンジユニット４００の連結ヒンジ４５０は、従来（二つの別体なる連結部材を備えたヒンジユニット）とは違って単体であり、両端に二つの把持部４５１、４５２と二つの支持根元部４５３、４５４を有する構成を備えている。
【００５１】
このため、二つの別体なる連結部材を備えた従来のものとは違って、連結ヒンジ４５０の二つの把持部４５１、４５２と、蓋体３との位置関係は一義的に決まるので、組み立てる際に位置合わせ調整をする必要がなく、組み立てがし易い。
【００５２】
また、ヒンジベース４１０は、二つの縦辺４１１、４１２と上辺４１３と下辺４１４をもつ外側の周枠部４１５を備えた単体の構成をしているので、前側補強板３００との位置関係は一義的に決まるので、組み立てる際に位置合わせ調整をする必要がなく、組み立てがし易い。
【００５３】
さらに、連結ヒンジ４５０は、両端に二つの把持部４５１、４５２と二つの支持根元部４５３、４５４を有する単体の構成である。このため、従来（二つの別体なる連結部材）のものに比べ、丈夫であり、蓋体３に多少無理な外力が加わっても連結ヒンジ４５０が曲がって動作不良を来すようなことはない。
【００５４】
さらにまた、回動軸心棒４８０を用いてヒンジベース４１０に連結ヒンジ４５０を回動自在に支持する支持構造は、二段の支持構造になっている。
【００５５】
すなわち、連結ヒンジ４５０の支持根元部４５３は上辺４１３の上辺軸支持片部４１７ｂと中間支持部４１６に設けた中間軸支持片部４１８ａの間に、連結ヒンジ４５０の支持根元部４５４は中間支持部４１６に設けた中間軸支持片部４１８ｂと下辺軸支持片部４１９ａの間に分かれた二段支持構造になっている。
【００５６】
このため、一段の支持構造に比べて、丈夫であり、蓋体３に多少無理な外力が加わっても連結ヒンジ４５０が曲がって動作不良を来すようなことはない。
【００５７】
ストッパー杆５００は、図６〜図８に示すように、上辺軸支持片部４１７ｂ、中間軸支持片部４１８ａ、中間軸支持片部４１８ｂ、および下辺軸支持片部４１９ａに掛け渡されるように置かれる。
【００５８】
そして、ストッパー杆５００のネジ通し穴５１０に挿入するネジにより、ストッパー杆５００はヒンジベース４１０に取り付け固定される。ストッパー補強部材５１１は、ストッパー杆５００の長手方向に沿って延在するように一体に形成され、ストッパー杆５００に対して鈎型に折れ曲がっている。
【００５９】
連結ヒンジ４５０の根元支持片部４５５ａ、４５５ｂ、根元支持片部４５６ａ、４５６ｂは、図８に示すように、ストッパー杆５００に当接するストッパー部５１２を有する。蓋体３を開放した際にストッパー部５１２がストッパー杆５００に当接して、それ以上開かれないよう規制される。
【００６０】
連結ヒンジ４５０の根元支持片部を利用してストッパー部５１２を設けたので、構成が簡単になる。また、ストッパー杆５００にストッパー補強部材５１１を設けたので、丈夫なストッパー杆５００になり、蓋体３の開放を所定の位置に確実に規制できる。
【００６１】
また、ストッパー補強部材５１１の両端に折り曲げ爪５１２を設けて、上辺軸支持片部４１７ｂと、中間軸支持片部４１８ａ、４１８ｂ、下辺軸支持片部４１９ａを挟み込むようにした。
【００６２】
このため、上辺軸支持片部４１７ｂと、中間軸支持片部４１８ａ、４１８ｂ、下辺軸支持片部４１９ａは補強され、蓋体３に多少無理な外力が加わってもヒンジユニットは十分耐え、蓋体３の円滑な開閉が維持される。
【００６３】
連結ヒンジ４５０は、図７、図９、図１０に示すように、回動軸心棒４８０に沿う平坦な形状をした中間部分４５７と、中間部分４５７の両側に設けられた両側部分４５８を有する。この両側部分４５８は端側に向かって上る傾斜形状を有する。
【００６４】
補強脈４５９は、両側部分４５８に設けられる。把持部４５１、４５２と支持根元部４５３、４５４の間に連なるように形成される補強脈４５９は、湾曲形状を有する連結ヒンジ４５０の内側向きに隆起する。
【００６５】
把持部４５１、４５２と支持根元部４５３、４５４とを結ぶにように設けた補強脈４５９は中間部分４５７を間にして連結ヒンジの両側に分かれて存在する。
【００６６】
このように連結ヒンジ４５０は、補強脈４５９を有するので、連結ヒンジ４５０が補強され、蓋体３に多少無理な外力が加わっても連結ヒンジ４５０は変形が生じず、蓋体３の円滑な開閉が維持される。
【００６７】
また、連結ヒンジ４５０は中間部分４５７の両側には端側に向かって上る傾斜形状を有する。このため、連結ヒンジ４５０の剛性が増して連結ヒンジ４５０は丈夫になる。
【００６８】
さらに補強脈４５９は中間部分４５７を避け、把持部４５１、４５２と支持根元部４５３、４５４とを結ぶ両側部分４５８に設けた。このため、中間部分４５７に設けるよりも補強脈４５９の長さを長くでき、連結ヒンジ４５０の補強増加を図ることができる。
【００６９】
さらにまた、補強脈４５９は、湾曲形状を有する連結ヒンジ４５０の内側向きに隆起するように設けられているので、プレスによる曲げ加工に適する。
【００７０】
また、上記の実施例では、補強脈の高さ（隆起高さ）は、全長に亘り同じである。この補強脈の高さを支持根元部側が高く、把持部側が低くすることで、連結ヒンジの強度を更に増加させることができる。
【図面の簡単な説明】
【００７１】
【図１】本発明の実施例に係るもので、ドラム式洗濯乾燥機の縦断面図である。
【図２】本発明の実施例に係るドラム式洗濯乾燥機の外観斜視図である。
【図３】本発明の実施例に係るもので、蓋体を開放したドラム式洗濯乾燥機の外観斜視図である。筐体本体部の外観用の前側板を外して内部が見せる状態を示している。
【図４】本発明の実施例に係るもので、ドラム式洗濯乾燥機を横方向に断面した断面図である。
【図５】本発明の実施例に係るドラム式洗濯乾燥機の外観斜視図で、外観用の前側板を外して内部が見せる状態を示している。
【図６】本発明の実施例に係るもので、ヒンジユニット単体を正面から見た図である。
【図７】本発明の実施例に係るヒンジユニット単体の斜視図で、蓋体が開かれた状態に相当するところを示している。
【図８】本発明の実施例に係るヒンジユニット単体の側面図で、蓋体が開かれた状態に相当するところを示している。
【図９】本発明の実施例に係るもので、連結ヒンジ単体の斜視図である。
【図１０】本発明の実施例に係るもので、連結ヒンジ単体の縦断面図である。
【図１１】本発明の実施例に係るもので、連結ヒンジ単体の側面図である。
【符号の説明】
【００７２】
３０…回転ドラム、２２…外槽、２１…筐体本体部、３…蓋体、４００…ヒンジユニット、４１０…ヒンジベース、４８０…回動軸心棒、４５０…連結ヒンジ、４５１,４５２…把持部、４５３,４５４…支持根元部。
【図１】
2008125812.tif 000003
【図２】
2008125812.tif 000004
【図３】
2008125812.tif 000005
【図４】
2008125812.tif 000006
【図５】
2008125812.tif 000007
【図６】
2008125812.tif 000008
【図７】
2008125812.tif 000009
【図８】
2008125812.tif 000010
【図９】
2008125812.tif 000011
【図１０】
2008125812.tif 000012
【図１１】
2008125812.tif 000013